(57)【要約】【課題】メイン・インジェクション（主要噴射）フェーズに加えて、エンジンのインダクションストローク（誘導行程）期間中において補助的に行うプレ・インジェクション（先行噴射）フェーズを備えた噴射方法を提供する。【解決手段】この先行噴射フェーズは、好適には誘導行程の開始時に行われ、この主要噴射時の燃料の数パーセントに等しい量の噴射を供給し、このようにして圧縮行程の期間中にシリンダ内の圧力が上昇することで、部分的な酸化物質および／または、強い化学的親和力を伴う複合過酸化物が形成され、そしてこれらは、メイン・インジェクションフェーズのイグニッション・ラグを最小にする燃焼促進材として働き、よって、燃焼時に発生する窒素酸化物や騒音を削減する。【選択図】      図２
2006275052.tif 000002
【特許請求の範囲】
【請求項１】
メイン・インジェクション（主要噴射）フェーズと、補助的なプレ・インジェクション（先行噴射）フェーズを具備し、前記の補助的なプレ・インジェクションフェーズは、ディーゼルエンジンのインダクションストローク（誘導行程）の開始時に行われ、これによりコンプレッションストローク（圧縮行程）の期間中にシリンダ内の圧力が上昇し、部分的な酸化物質及び強い化学的親和力を伴う複合酸化物の少なくともいずれかが形成され、前記メイン・インジェクション（主要噴射）フェーズの時間的遅れを最小にする燃焼促進材として働く、ことを特徴とするディーゼルエンジンのレール噴射方法。
【請求項２】
前記プレ・インジェクションフェーズは、前記エンジンのシリンダ内に与えられた所定量の燃料を噴射することから成ることを特徴とする、請求項１に記載のディーゼルエンジンのレール噴射方法。
【請求項３】
前記プレ・インジェクションフェーズは、前記メイン・インジェクションフェーズ期間中における燃料の量の数パーセントに等しい量の噴射によって行われることを特徴  とする、請求項２に記載のディーゼルエンジンのレール噴射方法。
【請求項４】
前記プレ・インジェクションフェーズは、中低速のエンジンスピードと、部分的な負荷または過渡状態において、中央制御ユニット手段により支配的に制御されるパラメータを用いて行われることを特徴とする、先行する何れかの請求項に記載されたディーゼルエンジンのレール噴射方法。
【発明の詳細な説明】
【技術分野】
【０００１】
本発明は、ディーゼルエンジンのレール燃料噴射方法に関する。
【背景技術】
【０００２】
既に知っての如く、環境保全のための努力が図られ、多くの国では内燃エンジンの排気を制御するために更に厳しい規制が試行されている。
【０００３】
実際におけるディーゼルエンジンに関しては、その主な問題点は、炭素化合物（ＣＯ）およびハイドロカーボン（ＨＣ）の含有率が極めて少ないのに比べて、窒素酸化物（ＮＯx）や粉塵が排出ガス中に存在することに起因している。
【０００４】
ここで、特許文献１は、メイン・インジェクションフェーズと補助的なプレ・インジェクションフェーズ（パイロット・インジェクション）から成るディーゼルエンジンのレール噴射方法を開示している。また、特許文献２は、各燃焼室のための低圧及び高圧インジェクタを有する内燃エンジンのためのオペレーティング方法を開示している。この低圧インジェクタは、燃焼室がその最大容量に近づいたときに、パイロット燃料チャージを噴射するが、これはインダクションストロークの最終部において行われるものである。
【特許文献１】欧州特許第０５７０９８６号明細書
【特許文献２】米国特許第５１１９７８０号明細書
【発明の開示】
【発明が解決しようとする課題】
【０００５】
しかしながら、多くの高度な成功率を有する解決手法が、硝酸化物（窒素酸化物）や粉塵の含有を減少させるために提案され、近時の規制によって益々要求される更なる低い汚染レベルを満足するための改良が叫ばれている。
【課題を解決するための手段】
【０００６】
本発明の目的は、ディーゼル内燃エンジンの排気ガス中に含まれる硝酸化物（窒素酸化物）とススを減少させるための方法を提供することにある。
【０００７】
本発明の一態様によれば、メイン・インジェクション（主要噴射）フェーズと、補助的なプレ・インジェクション（先行噴射）フェーズを具備し、前記の補助的なプレ・インジェクションフェーズは、ディーゼルエンジンのインダクションストローク（誘導行程）の開始時に行われ、これによりコンプレッションストローク（圧縮行程）の期間中にシリンダ内の圧力が上昇し、部分的な酸化物質及び強い化学的親和力を伴う複合酸化物の少なくともいずれかが形成され、前記メイン・インジェクション（主要噴射）フェーズの時間的遅れを最小にする燃焼促進材として働く、ことを特徴とするディーゼルエンジンのレール噴射方法が提供される。
【０００８】
ここで、前記プレ・インジェクションフェーズは、前記エンジンのシリンダ内に与えられた所定量の燃料を噴射することから成ることとしてもよい。加えて、前記プレ・インジェクションフェーズは、前記メイン・インジェクションフェーズ期間中における燃料の量の数パーセントに等しい量の噴射によって行われることとしてもよい。更に加えて、前記プレ・インジェクションフェーズは、中低速のエンジンスピードと、部分的な負荷または過渡状態において、中央制御ユニット手段により支配的に制御されるパラメータを用いて行われることとしてもよい。
【発明を実施するための最良の形態】
【０００９】
図１は、本発明に係わるタイプのディーゼルエンジン・レイル噴射システム１の概要を示している。このシステム１の本発明の一部分が実線で示された燃料の導管（コンジット）であり、破線はその制御および計測された量の信号を供給するための電線を示している。
【００１０】
システム１は次の各要素から構成されている。
【００１１】
すなわち、 燃料（ディーゼル燃料）タンク２： このタンク２に低圧導管４によって接続した高圧供給ポンプ３；高圧ライン７に沿った圧力レギュレータ６；この圧力レギュレータ６と燃料タンク２の間の低圧燃料リターン導管８；コンジット（高圧ライン）７に接続され、それらインジェクタに接続する１つ又はそれ以上の要素を有する高圧燃料レール９；このレール９に接続し、エンジン１２の各シリンダ１１のための多数のインジェクタ１０；このシステムの構成要素を各種のセンサからの信号に基づいて統括制御したり、マップや更新されたその制御運用手法を記憶するパワー制御ユニット（中央制御ユニット）１６；エンジン１２の排気マニュホールド（不図示）に接続された燃焼生成物の排出導管１７；この排出導管１７に沿って配された微粒子フィルタ１８；インテーク（吸気）マニュホールド１９；レール９上の圧力センサ２０；エンジンの出力シャフト２３上のエンジン速度およびストロークセンサ２２；そして、カムシャフト上のサイクルセンサ２４；から構成されている。
【００１２】
圧力レギュレータ６と、インジェクタ１０と、圧力センサ２０と、エンジン速度およびストロークセンサ２２と、サイクルセンサ２４とが電子データラインおよび制御交換ラインを介して中央制御ユニット１６に接続されている。
【００１３】
本発明によれば、中央制御ユニット１６によって通常に制御されているメイン・インジェクションフェーズに加えて、このインジェクションシステム１はまた、インダクションストロークの開始に際して、シリンダ１１中への燃料のプレ・インジェクション（先行噴射）をも提供している。図２に概念的に示すように、第１のグラフは各シリンダの様々なストロークにおける圧力を示し、第２のグラフは、プレ・インジェクション（３０）とメイン・インジェクション（３１）フェーズを示しており；ＴＤＣはトップデッドセンタ（上死点）、ＢＤＣはボトムデッドセンタ（下死点）、ＩＮＤはインダクションストローク（吸気行程）、ＣＯＭＰはコンプレッションストローク（圧縮行程）、ＥＸＰはイクスパンションストローク（膨張行程）、そしてＥＸはイクスヒューストストローク（排気行程）をそれぞれ示している。また、図２中のプレ・インジェクションおよびメイン・インジェクションフェーズの左右への矢印は、それらのロケーションと長さにおける変化の可能性を示唆しており、例えばタイミングが、示された例に比べて進んだとか遅れたとか、又は長くなったとか短くなったとかを、そのメイン・インジェクションフェーズを引き立てるために、エンジンのオペレーションコンディション（稼動条件）を考慮する。
【００１４】
本発明によれば、このプレ・インジェクションフェーズは、シリンダへのインダクションストロークＩＮＤにおける少量の燃料噴射から構成されており、これは所望により良好な混合状態を確実なものにするためインダクションストロークＩＮＤの開始において行われる。このようにして、コンプレッションストロークＣＯＭＰの期間中にシリンダ内の圧力が上昇すると、部分的な酸化物質および／または、強い化学的親和力を伴う複合過酸化物が形成され、そしてこれらは、メイン・インジェクションフェーズのイグニッション・ラグ（時間的遅れ）を最小にする燃焼促進材として働く。更に詳しくは、この燃焼促進材がエアーサプライ中に存在することにより、このメイン・インジェクションフェーズにおいて噴射される燃料混合気の早いイグニッション（着火）を提供し、このように安定的な燃焼が基本的に制御された変化率を伴い、多量な燃料の制御されない自然発火を引き起こす。より安定的であるためには、メインジェット（主噴射）のタイミングの改善もまた効果があり、したがって、このような燃焼が窒素酸化物およびススの形成の減少をもたらしてくれる。
【００１５】
メイン・インジェクションフェーズでは、プレ・インジェクション・パラメータ（燃料量、持続時間、点火時期の進み）は、エンジンの稼動条件、即ち、エンジン速度Ｎ（センサ２２により決定される値）や、エンジン負荷、流体温度（データはその中央制御ユニットにより遂行された他の処理機能をすでに可能にした通常のもの）および、この中央制御ユニット自体に格納されたマップを所望により使用して、これらに基づいて中央制御ユニット１６によって決定される。
【００１６】
出願人の経験においては、本発明によるプレ・インジェクションフェーズは、特に中低速のエンジンスピードおよび、部分的な負荷条件下（５０−６０％以下）において有益であるとするが、また、他の条件下、特に過渡状態下においても採用されてよい。
【００１７】
実際上において、本発明によるプレ・インジェクションフェーズの機能は、化合物（混合物）を減少させるイグニッション・ラグの供給によりシリンダ１１内部の環境を準備することから成っているので、これは、中央制御ユニット１６の存在によってその稼動条件が与えられたときに、すべてのシリンダに有利に実施される。
【００１８】
記載したタイプの電子式レール噴射システムを用いれば、プレ・インジェクションフェーズは、中央ユニット１６によってインジェクタ１０へ供給された制御信号により何らの困難も無く実行され、そして、このエンジンストロークに関係するタイミングは極めてフレキシブルであり、また、このシステムにおいては固有な特性によって何らの制限も無く行われる。
【００１９】
本発明の効果は前述の記載から明らかであろう。特に、インジェクション分の優秀な燃料量および燃焼特性の改善により、本発明によるプレ・インジェクションは、このエンジン（即ち、知っての如く増加する燃料の消耗を結果として引き起こすもの）から下流の如何なる排気フィルタのクロギング（閉塞・詰まり）の削減を、実質的に燃料消費の増加を伴わないで提供する。
【００２０】
なお、ここに記述し図示したような方法は、本発明の要旨から逸脱しない範囲で変形が加えられてもよいことは明らかである。特に、既に前述した如く、プレ・インジェクションフェーズは、最適な稼動条件を保証するためには、例示のものと比べて異なるタイミングであってもよい。
【図面の簡単な説明】
【００２１】
【図１】公知のディーゼルエンジン噴射システムを示すブロック図。
【図２】本発明によるエンジンのストローク（行程）に比例した、圧縮および噴射フェーズのグラフ。
【図１】
2006275052.tif 000003
【図２】
2006275052.tif 000004